【手続補正書】
【提出日】平成24年11月22日(2012.11.22)
【手続補正１】
【補正対象書類名】明細書
【補正対象項目名】発明の名称
【補正方法】変更
【補正の内容】
【発明の名称】オーダエントリシステム、サーバ装置及びプログラム
【手続補正２】
【補正対象書類名】明細書
【補正対象項目名】０００１
【補正方法】変更
【補正の内容】
【０００１】
この発明は、オーダエントリシステム、サーバ装置及びプログラムに関する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
接客担当者が所持するオーダ端末と、テーブルに設置されたテーブル端末と、オーダ情報を管理するサーバ装置と、が通信接続されたオーダエントリシステムであって、
前記オーダ端末は、
オーダがあったテーブルのテーブル識別情報と、当該オーダの商品の商品識別情報との入力を受け付ける操作部と、
前記入力されたテーブル識別情報及び商品識別情報を、オーダのオーダ識別情報に対応づけてオーダ情報として前記サーバ装置及び前記テーブル端末に送信する第１の送信部と、を備え、
前記サーバ装置は、
商品識別情報に対応する標準調理時間を有する商品テーブルを記憶する記憶部と、
前記オーダ端末からオーダ情報を受信し、前記記憶部に記憶されている商品テーブルを参照し、前記受信したオーダ情報の商品識別情報に対応する標準調理時間を取得し、当該取得した標準調理時間を用いてオーダ識別情報毎の所要時間を算出する算出部と、
前記算出された所要時間をオーダ識別情報とともに、テーブル識別情報に対応するテーブル端末に送信する第２の送信部と、を備え、
前記テーブル端末は、
第１の表示部と、
前記オーダ端末からオーダ情報を受信し、前記サーバ装置から所要時間及びオーダ識別情報を受信する受信部と、
前記受信されたオーダ情報とオーダ識別情報毎の所要時間とを前記第１の表示部に表示する制御部と、
を備えるオーダエントリシステム。
【請求項２】
前記サーバ装置は、
現在の日時情報を計時して出力する第１の計時部を備え、
前記記憶部は、曜日及び時間帯毎の来客状況及び店員稼働状況に対応する所要時間係数を有する所要時間算出テーブルを記憶し、
前記算出部は、前記オーダ端末からオーダ情報を受信し、前記第１の計時部から現在の日時情報を取得し、前記記憶部に記憶された商品テーブル及び所要時間算出テーブルを参照し、前記受信したオーダ情報の商品識別情報に対応する標準調理時間と、前記取得した現在の日時情報に対応する所要時間係数とを乗算してオーダ識別情報毎の所要時間を算出する請求項１に記載のオーダエントリシステム。
【請求項３】
前記制御部は、オーダ識別情報毎の所要時間を前記第１の表示部に一覧表示する請求項１又は２に記載のオーダエントリシステム。
【請求項４】
オーダの状態情報の入力を受け付けてオーダ識別情報とともに前記テーブル端末に送信する厨房端末を備え、
前記操作部は、オーダされた商品の配膳後に配膳済情報の入力を受け付け、
前記第１の送信部は、前記操作部により入力された配膳済情報又は未配膳の配膳情報をオーダ識別情報とともに前記テーブル端末に送信し、
前記受信部は、前記状態情報をオーダ識別情報とともに前記厨房端末から受信し、前記配膳情報をオーダ識別情報とともに前記オーダ端末から受信し、
前記制御部は、前記受信された状態情報及び配膳情報を、前記受信したオーダ識別情報毎に前記第１の表示部に表示する請求項１から３のいずれか一項に記載のオーダエントリシステム。
【請求項５】
前記厨房端末は、テーブル識別情報、オーダ識別情報及び状態情報を前記サーバ装置に送信し、
前記第１の送信部は、テーブル識別情報、オーダ識別情報及び配膳済情報を前記サーバ装置に送信し、
前記記憶部は、テーブル識別情報と、オーダ識別情報と、所要時間と、オーダの状態と、配膳の状態とを対応付けたオーダテーブルを記憶し、
前記サーバ装置は、
テーブル識別情報、オーダ識別情報及び状態情報を前記厨房端末から受信し、テーブル識別情報、オーダ識別情報及び配膳済情報を前記オーダ端末から受信し、当該受信した状態情報及び配膳済情報と、前記算出部により算出された所要時間とをテーブル識別情報及びオーダ識別情報に対応付けて前記オーダテーブルに登録する登録部を備える請求項４に記載のオーダエントリシステム。
【請求項６】
前記テーブル端末は、
現在の時刻情報を計時する第２の計時部を備え、
前記第２の計時部から現在の時刻情報を取得して、オーダ識別情報毎の時間経過を管理して前記第１の表示部に表示し、当該オーダ識別情報に対応する所要時間を経過してもオーダの商品が配膳されない場合に、前記サーバ装置及び前記オーダ端末に催促情報をテーブル識別情報及びオーダ識別情報とともに送信する催促部を備え、
前記サーバ装置は、
前記テーブル端末から催促情報、テーブル識別情報及びオーダ識別情報を受信し、当該受信したテーブル識別情報及びオーダ識別情報に対応する商品の催促の旨を前記厨房端末に通知させる通知制御部を備え、
前記オーダ端末は、
前記テーブル端末から催促情報、テーブル識別情報及びオーダ識別情報を受信し、当該受信したテーブル識別情報及びオーダ識別情報に対応する商品の催促の旨を通知する通知部を備える請求項４又は５に記載のオーダエントリシステム。
【請求項７】
前記オーダ端末は、
第２の表示部を備え、
前記第１の送信部は、前記オーダ情報を前記第２の表示部に表示した後に、当該オーダ情報を前記テーブル端末及び前記サーバ装置に送信する請求項１から６のいずれか一項に記載のオーダエントリシステム。
【請求項８】
オーダ端末及びテーブル端末に通信接続されるサーバ装置であって、
商品識別情報に対応する標準調理時間を有する商品テーブルを記憶する記憶部と、
前記オーダ端末からテーブル識別情報及び商品識別情報を含むオーダ情報を受信し、前記記憶部に記憶されている商品テーブルを参照し、前記受信したオーダ情報の商品識別情報に対応する標準調理時間を取得し、当該取得した標準調理時間を用いてオーダ識別情報毎の所要時間を算出する算出部と、
前記算出された所要時間をオーダ識別情報とともに、テーブル識別情報に対応するテーブル端末に送信する送信部と、
を備えるサーバ装置。
【請求項９】
オーダ端末及びテーブル端末に通信接続されるサーバ装置のコンピュータを、
商品識別情報に対応する標準調理時間を有する商品テーブルを記憶する記憶部、
前記オーダ端末からテーブル識別情報及び商品識別情報を含むオーダ情報を受信し、前記記憶部に記憶されている商品テーブルを参照し、前記受信したオーダ情報の商品識別情報に対応する標準調理時間を取得し、当該取得した標準調理時間を用いてオーダ識別情報毎の所要時間を算出する算出部、
前記算出された所要時間をオーダ識別情報とともに、テーブル識別情報に対応するテーブル端末に送信する送信部、
として機能させるプログラム。